(57)【要約】【課題】駐車場と提携した各店舗の割引サービスと、駐車料金処理を、駐車券を用いずに実現する。【解決手段】管理サーバは、車両検知装置が駐車場内の特定の車室において車両の駐車開始を認識したとき、利用者端末が検知した自己位置が駐車場の位置データベースに登録されている駐車場の位置に対して近接している場合に利用者端末へ当該駐車場の特定の車室に駐車したかを問い合わせし、利用者端末からの駐車開始の確認信号により、利用者の駐車場利用開始時刻を確定させる。出車のとき、前記駐車場利用開始時刻に基づいて料金計算を行い、利用者端末によりあらかじめ登録した決済方法で料金支払い処理を行う。【選択図】  図1
2018010340.tif 000002
【特許請求の範囲】
【請求項１】
現在の自己位置を検知する自己位置検出手段を有し、利用者ＩＤを記録した利用者端末と、
車両が入場し駐車したことを検知する車両検知装置と、
駐車場の位置データベースを有し、駐車場の利用開始を管理する管理サーバとを備え、
利用者端末と管理サーバ、車両検知装置と管理サーバが相互に通信するネットワークを有し、
管理サーバは、
車両検知装置が駐車場内の特定の車室において車両の駐車開始を認識したとき、
利用者端末が検知した自己位置が駐車場の位置データベースに登録されている駐車場の位置に対して近接している場合に利用者端末へ当該駐車場の特定の車室に駐車したかを問い合わせし、利用者端末からの駐車開始の確認信号により、利用者の駐車場利用開始時刻を確定させ、
出車のとき、前記駐車場利用開始時刻に基づいて料金計算を行い、利用者端末によりあらかじめ登録した決済方法で料金支払い処理を行う
ことを特徴とする駐車場管理システム。
【請求項２】
駐車場内外に設置したカメラにより撮像した画像からナンバープレートの車番を認識する車番認識装置と、
現在の自己位置を検知する自己位置検出手段を有し、利用者ＩＤを記録した利用者端末と、
車両が入場し駐車したことを検知する車両検知装置と、
駐車場の位置データベースを有し、駐車場の利用開始を管理する管理サーバとを備え、
利用者端末と管理サーバ、車両検知装置と管理サーバが相互に通信するネットワークを有し、
利用者端末には、利用者の車両の車番を登録し、
管理サーバは、
車両検知装置が駐車場内の特定の車室において車両の駐車開始を認識したとき、
利用者端末が検知した自己位置が駐車場の位置データベースに登録されている駐車場の位置に対して近接している場合に
車番認識装置が新たに認識した車番が存在するときは利用者端末へ新たに認識した車番と利用者端末に登録されている車番が一致するかを問い合わせて、一致するときは利用者の駐車場利用開始時刻を確定させ、
車番認識装置が新たに認識した車番が存在しないときは利用者へ当該駐車場の特定の車室に駐車開始したかを問い合わせし利用者の駐車開始の確認により、利用者の駐車場利用開始時刻を確定させ、
出車のとき、前記駐車場利用開始時刻に基づいて料金計算を行い、利用者端末によりあらかじめ登録した決済方法で料金支払い処理を行う
ことを特徴とする駐車場管理システム。
【請求項３】
現在の自己位置を検知する自己位置検出手段を有し、利用者ＩＤを記録した利用者端末と、
車両が入場し駐車したことを検知する車両検知装置と、駐車場の位置データベースを有し、駐車場の利用開始を管理する管理サーバとを備え、
前記利用者端末とデータ授受が可能で、管理サーバと通信できる店舗端末を提携店舗に設置し、
店舗端末は、
利用者端末が保持し当該利用者端末から読み出した駐車場識別ＩＤと入車時刻から割引サービスの対象として有効であるか判定し、有効な場合は、提携店における利用者の商品購入およびサービス享受に対する代金の金額データを利用者ＩＤと駐車場識別ＩＤとともに送り、
管理サーバは、
店舗端末から送られた利用者の商品購入およびサービス享受に対する代金の金額データを店舗購入データベースへ利用者ＩＤと駐車場識別ＩＤに関連づけて記録し、
利用者が出車するときは、店舗購入データベースから利用者ＩＤと駐車場識別ＩＤに関連づけて記録されている全ての店舗利用の金額データを読み出した金額に基づいて割引サービスを適用し、料金計算を行う
ことを特徴とする請求項１または請求項２に記載の駐車場管理システム。
【請求項４】
自己位置検出手段は、ＧＰＳによる位置測定、ＷｉＦｉによる位置測定、またはデジタル機器用の近距離無線通信規格を用いた無線通信による位置測定のいずれかである
ことを特徴とする請求項１または請求項２または請求項３に記載の駐車場管理システム。
【請求項５】
車両検知装置は、ループコイル、光受発光素子、磁気センサ、超音波センサ、画像センサ、車番認識によるセンサ、ＲＦＩＤ（ＩＤ情報を埋め込んだＲＦタグ）によるセンサ、またはミリ波レーダーのいずれかである
ことを特徴とする請求項１または請求項２または請求項３に記載の駐車場管理システム。
【発明の詳細な説明】
【技術分野】
【０００１】
本発明は、提携店舗と提携する駐車場の駐車料金について、料金処理と提携店舗での買い上げによる割引サービスを、駐車券を用いず管理する駐車場管理システムに関するものである。
【背景技術】
【０００２】
従来、駐車料金の計算と提携店舗における駐車料金割引のために、駐車場利用者に駐車券を発行していた。
提携店舗での割引については、店舗に設置した認証器で駐車券に購入金額に応じた割引データを書き込み、駐車料金支払時、精算機に前記駐車券の割引データを読み取らせて駐車料金の割引額を計算していた。
あるいは、店舗にて購入金額に応じ、あらかじめ割引データが記録された磁気券（サービス券）を渡し、駐車料金精算時に前記磁気券の割引データを読み取らせて割引料金を計算していた。
【０００３】
駐車券を用いる場合は、各提携店舗において駐車券発行機と磁気データ読取機能を備えた認証器を設置する必要があり、初期費用と駐車券自体の消耗品費用がかかっていた。
また、サービス券を用いる場合は、割引内容が数種類に限定され、あらかじめ店舗が駐車場運営事業者から購入して保管するなど、準備しておく必要があり、金券としての管理を要し、消耗品費用がかかるものとなっていた。
【先行技術文献】
【特許文献】
【０００４】
【特許文献１】特許第５８４６５６５号公報
【発明の概要】
【発明が解決しようとする課題】
【０００５】
解決しようとする課題は、駐車場と提携した各店舗の割引サービスと、駐車料金処理を、駐車券を用いずに実現する駐車場管理システムを提供することである。
【課題を解決するための手段】
【０００６】
請求項１にかかる駐車場管理システムは、現在の自己位置を検知する自己位置検出手段を有し、利用者ＩＤを記録した利用者端末と、車両が入場し駐車したことを検知する車両検知装置と、駐車場の位置データベースを有し、駐車場の利用開始を管理する管理サーバとを備え、利用者端末と管理サーバ、車両検知装置と管理サーバが相互に通信するネットワークを有し、管理サーバは、車両検知装置が駐車場内の特定の車室において車両の駐車開始を認識したとき、利用者端末が検知した自己位置が駐車場の位置データベースに登録されている駐車場の位置に対して近接している場合に利用者端末へ当該駐車場の特定の車室に駐車したかを問い合わせし、利用者端末からの駐車開始の確認信号により、利用者の駐車場利用開始時刻を確定させ、出車のとき、前記駐車場利用開始時刻に基づいて料金計算を行い、利用者端末によりあらかじめ登録した決済方法で料金支払い処理を行うことを特徴とするものである。
【０００７】
請求項２にかかる駐車場管理システムは、駐車場内外に設置したカメラにより撮像した画像からナンバープレートの車番を認識する車番認識装置と、現在の自己位置を検知する自己位置検出手段を有し、利用者ＩＤを記録した利用者端末と、車両が入場し駐車したことを検知する車両検知装置と、駐車場の位置データベースを有し、駐車場の利用開始を管理する管理サーバとを備え、利用者端末と管理サーバ、車両検知装置と管理サーバが相互に通信するネットワークを有し、利用者端末には、利用者の車両の車番を登録し、管理サーバは、車両検知装置が駐車場内の特定の車室において車両の駐車開始を認識したとき、利用者端末が検知した自己位置が駐車場の位置データベースに登録されている駐車場の位置に対して近接している場合に車番認識装置が新たに認識した車番が存在するときは利用者端末へ新たに認識した車番と利用者端末に登録されている車番が一致するかを問い合わせて、一致するときは利用者の駐車場利用開始時刻を確定させ、車番認識装置が新たに認識した車番が存在しないときは利用者へ当該駐車場の特定の車室に駐車開始したかを問い合わせし利用者の駐車開始の確認により、利用者の駐車場利用開始時刻を確定させ、出車のとき、前記駐車場利用開始時刻に基づいて料金計算を行い、利用者端末によりあらかじめ登録した決済方法で料金支払い処理を行うことを特徴とするものである。
【０００８】
請求項３にかかる駐車場管理システムは、請求項１または請求項２に記載のものであって、現在の自己位置を検知する自己位置検出手段を有し、利用者ＩＤを記録した利用者端末と、車両が入場し駐車したことを検知する車両検知装置と、駐車場の位置データベースを有し、駐車場の利用開始を管理する管理サーバとを備え、前記利用者端末とデータ授受が可能で、管理サーバと通信できる店舗端末を提携店舗に設置し、店舗端末は、利用者端末が保持し当該利用者端末から読み出した駐車場識別ＩＤと入車時刻から割引サービスの対象として有効であるか判定し、有効な場合は、提携店における利用者の商品購入およびサービス享受に対する代金の金額データを利用者ＩＤと駐車場識別ＩＤとともに送り、管理サーバは、店舗端末から送られた利用者の商品購入およびサービス享受に対する代金の金額データを店舗購入データベースへ利用者ＩＤと駐車場識別ＩＤに関連づけて記録し、利用者が出車するときは、店舗購入データベースから利用者ＩＤと駐車場識別ＩＤに関連づけて記録されている全ての店舗利用の金額データを読み出した金額に基づいて割引サービスを適用し、料金計算を行うことを特徴とするものである。
【０００９】
請求項４にかかる駐車場管理システムは、請求項１または請求項２または請求項３に記載のものであって、自己位置検出手段は、ＧＰＳによる位置測定、ＷｉＦｉによる位置測定、またはデジタル機器用の近距離無線通信規格を用いた無線通信による位置測定のいずれかであることを特徴とするものである。
【００１０】
請求項５にかかる駐車場管理システムは、請求項１または請求項２または請求項３に記載のものであって、車両検知装置は、ループコイル、光受発光素子、磁気センサ、超音波センサ、画像センサ、車番認識によるセンサ、ＲＦＩＤ（ＩＤ情報を埋め込んだＲＦタグ）によるセンサ、またはミリ波レーダーのいずれかであることを特徴とするものである。
【発明の効果】
【００１１】
請求項１にかかる駐車場管理システムによると、利用者端末が自己位置検出手段を有し、検知した自己位置が駐車した特定車室であるときに、利用者の駐車場利用開始時刻を確定させ、出車のとき、前記駐車場利用開始時刻に基づいて料金計算を行うから、駐車料金処理を、駐車券を用いないで行うことができ、そのための駐車券発券機の設置と、駐車券自体が不要となり、機器導入費用やランニングコストが低減するとともに、駐車券の紛失によるトラブルがなくなり、さらには駐車券処理による廃棄物も発生しない。
【００１２】
請求項２にかかる駐車場管理システムによると、車両検知装置が駐車場内の特定の車室において車両の駐車開始を認識したとき、利用者端末の自己位置検出手段により検知した自己位置が駐車場の位置に近接している場合に、車番認識装置が新たに認識した車番が存在するときは当該車番と利用者端末に登録されている車番が一致するときに利用者の駐車場利用時刻を確定させ、車番認識装置が新たに認識した車番が存在しないときは当該駐車場の特定車室に駐車したかを確認したときに利用者の駐車場利用時刻を確定させ、前記駐車場利用開始時刻に基づいて料金計算を行うから、駐車料金処理を、駐車券を用いないで行うことができ、そのための駐車券発券機の設置と、駐車券自体が不要となり、機器導入費用やランニングコストが低減するとともに、駐車券の紛失によるトラブルがなくなり、さらには駐車券処理による廃棄物も発生しない。
【００１３】
請求項３にかかる駐車場管理システムによると、提携店舗は、店舗端末と通信して利用者ＩＤと駐車場利用情報を読み出して割引サービスの対象かを判定し、管理サーバの店舗購入データベースへ利用者ＩＤと関連付けて買い物情報を記録するから、駐車券を用いることがなく、磁気データ読取り機能を備えた認証器を設置する必要がなく、機器導入費用が低減し、サービス券として数種の磁気券を用意する必要がなく、ランニングコストが低減する。
【図面の簡単な説明】
【００１４】
【図１】本発明の駐車場管理システムを説明する機能ブロック図である。
【実施例１】
【００１５】
以下、本発明の実施例について図を参照して説明する。図１は、本発明による駐車場管理システムの機能ブロック図である。
図１において、１０１は利用者端末、１０２は車両検知装置、１０３はカメラ、１０４は車番認識装置、１０５はルーター、１０６は店舗端末、１０７は管理サーバ、１０８はネットワーク、１０９は駐車場位置データベース、１１０は店舗購入データベースである。
利用者端末１０１は、駐車場利用者が携帯する通信機能を備えた端末であり、例えばスマートフォン、タブレット、または携帯電話機を用いる。利用者端末１０１は現在の自己位置を検出する自己位置検出手段を有し、利用者ＩＤを記録しておく。利用者ＩＤとして、携帯電話機の場合は電話番号を用い、その他の場合は適当なメールアドレス等を用いる。位置情報は、ＧＰＳ、ＷｉＦｉ、またはデジタル機器用の近距離無線通信規格を用いた無線通信による位置測定、例えばＢＬＥビーコン（ＢＬＥ：Ｂｌｕｅｔｏｏｔｈ（登録商標）Ｌｏｗ  Ｅｎｅｒｇｙ）から得られる。
店舗端末１０６は、スマートフォンまたはタブレットを用いる。店舗端末１０６と利用者端末１０１との通信は、Ｂｌｕｅｔｏｏｔｈ（登録商標）または赤外線通信を想定する。利用者端末１０１が携帯電話機の場合は、その画面にＱＲコード（登録商標）またはバーコードを表示し、店舗端末１０６が備える図示しないカメラで読み取ることにより行う。
管理サーバ１０７は、駐車場位置データベース１０９と店舗購入データベース１１０を備える。
ネットワーク１０８は例えばインターネットにより構成し、管理サーバ１０７は利用者端末１０１及び店舗端末１０６とでインターネットのネットワーク１０８経由で通信する。
車両検知装置１０２、車番認識装置１０４は、図示しない駐車場に設置した図示しないルーター１０５を介し、インターネットのネットワーク１０８経由で管理サーバ１０７と通信する。
利用者端末１０１が自己位置を検知するには、通常はＢＬＥ（ビーコン）を想定する。ＢＬＥを設置しない場合は、ＷｉＦｉまたはＧＰＳを用いる。利用者端末１０１の自己位置検出手段が検知した自己位置の情報は、管理サーバ１０７が受ける。
駐車場利用情報は、利用者端末１０１が保持するかあるいは、利用者端末１０１と管理サーバ１０７の双方に保持する。
利用者端末１０１の駐車料金処理や割引サービスのためのソフトウェアは、予め駐車場運営事業者から提供され、予め利用者端末１０１にインストールし記録しておく。
利用者端末１０１には、クレジットカード等により決済手段が準備され、駐車料金は利用者端末１０１で支払いできる。
【００１６】
（実施例１の動作）
利用者端末１０１が有するＧＰＳ等の位置検知機能により現在の位置情報を取得し、この位置情報を定期的に管理サーバ１０７に送信する。車両検知装置１０２が駐車場内の特定の車室において車両が駐車開始を認識し、これを管理サーバ１０７に送信する。駐車開始の認識信号を受けた管理サーバ１０７は、利用者端末１０１から送信された前記位置情報が駐車場位置データベース１０９に登録されている駐車場の位置に対して近接していることを確認し、近接している場合に利用者端末１０１へ当該駐車場の前記車両検知装置１０２から送信された前記特定車室に駐車したかを問い合わせする。この問い合わせを受けた利用者端末１０１から駐車開始の確認信号が返されると、管理サーバ１０７は前記利用者端末１０１の利用者車両の駐車場利用開始時刻を確定させ、例えば利用者端末１０１が携帯電話機の場合は電話番号を利用者ＩＤとして利用者を特定して駐車場利用開始時刻を記録する。
出車のときには、利用者の操作により利用者端末１０１より管理サーバ１０７に利用者ＩＤを送信することにより、出車を報知する。
管理サーバ１０７は、利用者端末１０１からの利用者利用者ＩＤを受けて、当該利用者ＩＤの利用者車両の駐車場利用開始時刻を読み出し、現在時刻に基づき、駐車料金を計算し、利用者端末１０１によりあらかじめ登録した決済方法例えばクレジットカードによる決済方法で料金支払い処理を行う。
【実施例２】
【００１７】
（実施例２の動作）
駐車場にカメラ１０３を設置し、車番認識を行うシステムについて、図１を用いて説明する。図１に用いた各構成ブロックの基本機能は実施例１と同様である。
あらかじめ利用者の利用者端末１０１に利用者の車両の車番を登録しておく。管理サーバ１０７にはあらかじめ利用者の車番が登録されている。
利用者端末１０１が有するＧＰＳ等の位置検知機能により現在の位置情報を取得し、この位置情報を定期的に管理サーバ１０７に送信する。車番認識装置１０４は、車両が駐車場入り口に到来し、カメラ１０３により撮像した画像からナンバープレートの車番を認識し、当該車番を管理サーバ１０７に送信する。車両検知装置１０２が駐車場内の特定の車室において車両が駐車開始を認識し、これを管理サーバ１０７に送信する。車両検知装置１０２から駐車開始の認識信号を受けた管理サーバ１０７は、前記車番認識装置１０４において新たに認識した車番が、存在するときは、利用者端末１０１から送信された前記位置情報が駐車場位置データベース１０９に登録されている駐車場の位置に対して近接していることを確認し、近接している場合に利用者端末１０１へ新たに認識した車番と利用者端末１０１に登録されている車番が一致するか問い合わせる。利用者端末１０１から一致しているとの一致応答信号を受けた管理サーバ１０７は前記利用者端末１０１の利用者車両の駐車場利用開始時刻を確定させ、例えば利用者端末１０１が携帯電話機の場合は電話番号を利用者ＩＤとして割り当てて入車時刻、駐車場識別ＩＤ、車室番号のデータを駐車場利用情報として保持する。
出車のときには、利用者の操作により利用者端末１０１より管理サーバ１０７に利用者ＩＤを送信することにより、出車を報知する。
管理サーバ１０７は、利用者端末１０１からの利用者利用者ＩＤを受けて、当該利用者ＩＤの利用者車両の駐車場利用開始時刻を読み出し、現在時刻に基づき、駐車料金を計算し、利用者端末１０１によりあらかじめ登録した決済方法例えばクレジットカードによる決済方法で料金支払い処理を行う。
【実施例３】
【００１８】
（実施例３の動作）
提携店舗において割引サービスを行うシステムについて、図１を用いて説明する。図１に用いた各構成ブロックの基本機能は実施例１と同様である。
あらかじめ利用者の利用者端末１０１には、利用者ＩＤ（識別番号）が設定され、管理サーバ１０７には利用者ＩＤが記録されている。
提携店舗では、利用者端末１０１が店舗端末１０６と通信して、店舗端末１０６は利用者端末１０１の利用者ＩＤ（識別番号）を得る。店舗端末１０１は利用者ＩＤ（識別番号）を参照して管理サーバ１０７から利用者ＩＤの駐車場利用情報（入車時刻、駐車場識別ＩＤ、車室番号等）を読み出して、利用者ＩＤの駐車場利用情報を読み出すことができたことにより利用者の駐車が割引対象かを判定する。割引対象である場合は、買い上げ情報を利用者ＩＤ（識別番号）とともに管理サーバ１０７へ送る。管理サーバ０１６は利用者ＩＤに関連づけて買い上げ情報を店舗購入データベース１１０へ記録する。
出車のときには、利用者の操作により利用者端末１０１より管理サーバ１０７に利用者ＩＤを送信することにより、出車を報知する。
管理サーバ１０７は、利用者端末１０１からの利用者利用者ＩＤを受けて、当該利用者ＩＤの利用者車両の駐車場利用開始時刻を読み出し、現在時刻に基づき、管理サーバ１０７から買い上げ総額を得て割引サービスを行った駐車料金を計算する。利用者端末１０１によりあらかじめ登録した決済方法例えばクレジットカードによる決済方法で料金支払い処理を行う。
【符号の説明】
【００１９】
１０１    利用者端末
１０２    車両検知装置
１０３    カメラ
１０４    車番認識装置
１０５    ルーター
１０６    店舗端末
１０７    管理サーバ
１０８    ネットワーク
１０９    駐車場位置データベース
１１０    店舗購入データベース
【図１】
2018010340.tif 000003